(57)【要約】【課題】チャイルドシートを座席上に設置してシートベルトによって固定するに際し、シートベルトを通すべき領域を照明器具で照明する。【解決手段】チャイルドシート１を座席に載せ、スタートスイッチ４４を押すと、照明器具４６が点灯し、チャイルドシート本体１０とバック部２２との間のスペースが照明される。これにより、ショルダーベルト５１を該スペースに引き回す作業を容易に行うことができるようになる。子供をチャイルドシート本体１０に着座させると、バックル６３の差込口６３ｂ内がＬＥＤ６５によって照明される。【選択図】図１
2010269702.tif 000002
【特許請求の範囲】
【請求項１】
シートベルト引き回し領域に自動車のシートベルトが引き回されることにより自動車の座席に取り付けられるチャイルドシートにおいて、
該シートベルト引き回し領域の少なくとも一部を照明する照明器具を備えたことを特徴とするチャイルドシート。
【請求項２】
請求項１において、該チャイルドシートは、座部及び背もたれ部を有したチャイルドシート本体と、該チャイルドシート本体を支持するベースとを備えており、
該照明器具は、少なくとも該背もたれ部の背後側を照明するように設置されていることを特徴とするチャイルドシート。
【請求項３】
請求項２において、該背もたれ部の背後側に、シートベルトを巻き取って該シートベルトに張力を与えるための巻取部材が設けられており、
前記照明器具は少なくとも該巻取部材のシートベルト係合部分を照明するように設置されていることを特徴とするチャイルドシート。
【請求項４】
請求項１ないし３のいずれか１項において、前記照明器具の点灯を開始させるスイッチと、該スイッチが操作されてから所定時間が経過するか、又はシートベルトの引き回しが完了すると照明器具を消灯させる照明制御手段とを備えたことを特徴とするチャイルドシート。
【請求項５】
請求項１ないし４のいずれか１項において、複数のベルト挿通部を有し、該ベルト挿通部に自動車のシートベルトが挿通されることにより自動車の座席に取り付けられるよう構成されており、
該チャイルドシートを自動車の座席に取り付けるときにシートベルトを挿通すべきベルト挿通部を示すように点灯する発光体を備えたことを特徴とするチャイルドシート。
【請求項６】
請求項４において、複数のベルト挿通部を有し、該ベルト挿通部に自動車のシートベルトが挿通されることにより自動車の座席に取り付けられるよう構成されており、
該チャイルドシートを自動車の座席に取り付けるときにシートベルトを挿通すべきベルト挿通部を示すように点灯する発光体を備えており、前記スイッチが操作されると、該発光体を点灯させる発光体制御手段を備えたことを特徴とするチャイルドシート。
【請求項７】
請求項６において、各ベルト挿通部にそれぞれベルト検知器が設けられており、
前記発光体制御手段は、最初にシートベルトを通すべき第１のベルト挿通部の発光体を最初に点灯させ、該第１のベルト挿通部にシートベルトが挿通されたことが第１のベルト挿通部のベルト検知器によって検知されると該第１のベルト挿通部の発光体を消灯させ、次いで、次にシートベルトを通すべき第２のベルト挿通部の発光体を点灯させ、該第２のベルト挿通部にシートベルトが挿通されたことが第２のベルト挿通部のベルト検知器によって検知されると該第２のベルト挿通部の発光体を消灯させるように発光体を制御することを特徴とするチャイルドシート。
【請求項８】
請求項７おいて、
チャイルドシートが自動車の前方向きに設置されるか後方向きに設置されるかを検知する設置向き検知手段が設けられており、
前記ベルト挿通部として、前方向き設置時にシートベルトが挿通される前方向き設置時用ベルト挿通部と、後方向き設置時にシートベルトが挿通される後方向き設置時用ベルト挿通部とが設けられており、
前記発光体制御手段は、該設置向き検知手段で検知された設置向きに従って、前方向き設置時用ベルト挿通部の発光体と後方向き設置時用ベルト挿通部の発光体とのいずれかの発光体を点灯させるよう構成されていることを特徴とするチャイルドシート。
【請求項９】
子供が座る座部と、該座部に座った子供を拘束するための子供用ウェビングと、該子供用ウェビングに設けられたタングと、該タングが差し込まれてラッチされるバックルとを有するチャイルドシートにおいて、
該バックルに設けられた発光体と、
該座部に子供が座ると、それから該発光体を所定時間又は前記タングがラッチされるまで該発光体を点灯させるバックル発光体制御手段と、
を備えたことを特徴とするチャイルドシート。
【発明の詳細な説明】
【技術分野】
【０００１】
本発明は、自動車の座席上に設置されるチャイルドシートに係り、特に自動車のシートベルト装置のシートベルトによって固定されるチャイルドシートに関する。
【背景技術】
【０００２】
自動車の座席上に設置されたチャイルドシートを座席に固定する構造が種々提案されている。その１つとして、チャイルドシートに設けたベルト挿通口に自動車のシートベルト装置のシートベルトを通してチャイルドシートを固定するものが特開２００４−１３０９９６、特開２００３−２５２０９４号公報に記載されている。
【０００３】
特開２００４−１３０９９６号公報では、チャイルドシートの背後側に引き回されたシートベルトを巻取軸のスリットに掛けて該巻取軸を回転させ、シートベルトを巻き付けることにより、シートベルトに張力を加えるよう構成したものである。
【０００４】
特開２００３‐２５２０９４号公報のチャイルドシートは、自動車の座席上において、自動車の前方向きにもまた後方向きにも据え付けることができるように構成されたものである。このチャイルドシートは、その底部に、前方向き設置時及び後方向き設置時のいずれにおいても、該底部において自動車後方側の位置をとるように位置変更可能なボトムブロックを備えたものである。
【先行技術文献】
【特許文献】
【０００５】
【特許文献１】特開２００４−１３０９９６号公報
【特許文献２】特開２００３‐２５２０９４号公報
【発明の概要】
【発明が解決しようとする課題】
【０００６】
チャイルドシートを座席に載せた場合、チャイルドシートの背後側は自動車の室内灯の光が遮られ、暗いため、シートベルトをチャイルドシートに掛ける作業を行いにくくなることがある。
【０００７】
本発明は、チャイルドシートを座席上に設置してシートベルトによって固定するに際し、シートベルトを容易に掛けることができるチャイルドシートを提供することを目的とする。
【課題を解決するための手段】
【０００８】
請求項１のチャイルドシートは、シートベルト引き回し領域に自動車のシートベルトが引き回されることにより自動車の座席に取り付けられるチャイルドシートにおいて、該シートベルト引き回し領域の少なくとも一部を照明する照明器具を備えたことを特徴とするものである。
【０００９】
請求項２のチャイルドシートは、請求項１において、該チャイルドシートは、座部及び背もたれ部を有したチャイルドシート本体と、該チャイルドシート本体を支持するベースとを備えており、該照明器具は、少なくとも該背もたれ部の背後側を照明するように設置されていることを特徴とするものである。
【００１０】
請求項３のチャイルドシートは、請求項２において、該背もたれ部の背後側に、シートベルトを巻き取って該シートベルトに張力を与えるための巻取部材が設けられており、前記照明器具は少なくとも該巻取部材のシートベルト係合部分を照明するように設置されていることを特徴とするものである。
【００１１】
請求項４のチャイルドシートは、請求項１ないし３のいずれか１項において、前記照明器具の点灯を開始させるスイッチと、該スイッチが操作されてから所定時間が経過するか、又はシートベルトの引き回しが完了すると照明器具を消灯させる照明制御手段とを備えたことを特徴とするものである。
【００１２】
請求項５のチャイルドシートは、請求項１ないし４のいずれか１項において、複数のベルト挿通部を有し、該ベルト挿通部に自動車のシートベルトが挿通されることにより自動車の座席に取り付けられるよう構成されており、該チャイルドシートを自動車の座席に取り付けるときにシートベルトを挿通すべきベルト挿通部を示すように点灯する発光体を備えたことを特徴とするものである。
【００１３】
請求項６のチャイルドシートは、請求項４において、複数のベルト挿通部を有し、該ベルト挿通部に自動車のシートベルトが挿通されることにより自動車の座席に取り付けられるよう構成されており、該チャイルドシートを自動車の座席に取り付けるときにシートベルトを挿通すべきベルト挿通部を示すように点灯する発光体を備えており、前記スイッチが操作されると、該発光体を点灯させる発光体制御手段を備えたことを特徴とするものである。
【００１４】
請求項７のチャイルドシートは、請求項６において、各ベルト挿通部にそれぞれベルト検知器が設けられており、前記発光体制御手段は、最初にシートベルトを通すべき第１のベルト挿通部の発光体を最初に点灯させ、該第１のベルト挿通部にシートベルトが挿通されたことが第１のベルト挿通部のベルト検知器によって検知されると該第１のベルト挿通部の発光体を消灯させ、次いで、次にシートベルトを通すべき第２のベルト挿通部の発光体を点灯させ、該第２のベルト挿通部にシートベルトが挿通されたことが第２のベルト挿通部のベルト検知器によって検知されると該第２のベルト挿通部の発光体を消灯させるように発光体を制御することを特徴とするものである。
【００１５】
請求項８のチャイルドシートは、請求項７おいて、チャイルドシートが自動車の前方向きに設置されるか後方向きに設置されるかを検知する設置向き検知手段が設けられており、前記ベルト挿通部として、前方向き設置時にシートベルトが挿通される前方向き設置時用ベルト挿通部と、後方向き設置時にシートベルトが挿通される後方向き設置時用ベルト挿通部とが設けられており、前記発光体制御手段は、該設置向き検知手段で検知された設置向きに従って、前方向き設置時用ベルト挿通部の発光体と後方向き設置時用ベルト挿通部の発光体とのいずれかの発光体を点灯させるよう構成されていることを特徴とするものである。
【００１６】
請求項９のチャイルドシートは、子供が座る座部と、該座部に座った子供を拘束するための子供用ウェビングと、該子供用ウェビングに設けられたタングと、該タングが差し込まれてラッチされるバックルとを有するチャイルドシートにおいて、該バックルに設けられた発光体と、該座部に子供が座ると、それから該発光体を所定時間又は前記タングがラッチされるまで該発光体を点灯させるバックル発光体制御手段と、を備えたことを特徴とするものである。
【発明の効果】
【００１７】
請求項１のチャイルドシートにあっては、シートベルトによって該チャイルドシートを自動車の座席に取り付けるときに、シートベルト引き回し領域の少なくとも一部を照明器具で照明することができる。そのため、シートベルト引き回し作業を容易に行うことができる。
【００１８】
請求項２のチャイルドシートにあっては、背もたれ部の背後側に照明することにより、この背もたれ部背後側にシートベルトを容易に引き回すことができる。
【００１９】
請求項３のチャイルドシートにあっては、背もたれ部の背後側の巻取部材のシートベルト係合部分が照明器具によって照明されるので、シートベルトを該係合部分に係合させる作業が容易となる。
【００２０】
請求項４のチャイルドシートにあっては、照明器具が点灯してから所定時間が経過するか又はシートベルト引き回しが完了すると照明器具が消灯するので、照明器具の電源が無駄に消耗することが防止される。また、シートベルト引き回しが完了すると照明器具が消灯するよう構成した場合には、シートベルト引き回しの完了を照明器具の消灯によって認識することができる。
【００２１】
請求項５，６のチャイルドシートでは、シートベルトを挿通すべきベルト挿通部が発光体の点灯によって示されるため、チャイルドシートを自動車の座席上に設置した後、シートベルトをベルト挿通部に挿通する際に、どのベルト挿通部にシートベルトを挿通すべきか極めて簡単に認識することができる。特に、請求項５のチャイルドシートにあっては、照明器具を点灯させるべくスイッチを操作すると、併せてこの発光体も点灯するため、シートベルト引き回し作業をスムーズに開始することができる。
【００２２】
請求項７のチャイルドシートによると、スイッチを操作すると、まず第１のベルト挿通部の発光体が点灯する。この第１のベルト挿通部にシートベルトを挿通すると、この第１のベルト挿通部の発光体が消灯し、続いて第２のベルト挿通部の発光体が点灯する。従って、シートベルトを各ベルト挿通部に通すに際し、まず第１のベルト挿通部に通し、その後第２のベルト挿通部に通す一連の作業手順を容易に行うことができる。
【００２３】
請求項８のチャイルドシートによると、チャイルドシートを自動車の前方向きに設置したときには、前方向き設置時用ベルト挿通部の発光体が点灯し、後方向きに設置したときには後方向き設置時用ベルト挿通部の発光体が点灯する。従って、チャイルドシートを前方向き及び後方向きのいずれの向きとしても、シートベルトを挿通すべきベルト挿通部を容易に認識することができる。
【００２４】
請求項９のチャイルドシートによると、座部に子供を座らせると、バックルの発光体が点灯するので、子供拘束用のタングをバックルに装着すべきことが認識されるようになる。
【図面の簡単な説明】
【００２５】
【図１】（ａ）図は実施の形態に係るチャイルドシートの斜視図、（ｂ）図は照明器具設置部の縦断面図である。
【図２】実施の形態に係るチャイルドシートの斜視図である。
【図３】実施の形態に係るチャイルドシート本体のバック部を示す斜視図である。
【図４】リミットスイッチの取付構造を示す断面図である。
【図５】前向き設置のチャイルドシートの斜視図である。
【図６】後向き設置のチャイルドシートの斜視図である。
【図７】子供用トング及びバックルの正面図である。
【図８】バックルの斜視図である。
【図９】着座検知装置の断面図である。
【図１０】別の実施の形態に係るチャイルドシートの斜視図である。
【図１１】シートベルトを係合させた図１０のチャイルドシートの斜視図である。
【発明を実施するための形態】
【００２６】
以下、図面を参照して実施の形態について説明する。
【００２７】
第１図（ａ）は実施の形態に係るチャイルドシートの正面側の斜視図、第１図（ｂ）は照明器具の設置部の縦断面図、第２図（ａ），（ｂ）はチャイルドシート本体の背面側の斜視図、第３図はベースのバック部の上部の斜視図、第４図（ａ），（ｂ）はリミットスイッチの構成を示す断面図、第５図及び第６図はシートベルトを通したチャイルドシートの斜視図である。
【００２８】
このチャイルドシート１は、チャイルドシート本体１０と、このチャイルドシート本体１０がリクライニング可能に取り付けられたベース２０とを有する。チャイルドシート本体１０は、背もたれ部１１及び座部１２を有している。
【００２９】
背もたれ部１１の背面上部の左右両サイドからは、それぞれ突片１４が１対ずつ後方に突設されている。この突片１４がベース２０のガイド部（図示略）に上下方向スライド可能に係合している。
【００３０】
チャイルドシート本体１０の左右の側面の上部には、それぞれ、このチャイルドシート１を自動車後方を向くように後向き設置したときにシートベルトを掛けるベルト掛通部１５が設けられている。この実施の形態では、このベルト掛通部１５は、側面視形状がＬ字形のフック状のものとなっており、上端側が開放している。この実施の形態では、該ベルト掛通部１５は、チャイルドシート本体１０と別体に設けられており、その下端側がボルト等の固着具により該チャイルドシート本体１０の側面に固着されている。なお、このベルト掛通部１５は、チャイルドシート本体１０と一体に設けられてもよい。
【００３１】
背もたれ部１１の背面にはベルト掛通し作業時に背もたれ部１１とベース部２０との間のスペースを照明するための照明器具４６が設けられている。この実施の形態では、照明器具４６はＬＥＤよりなり、第１図（ｂ）の通り、照明ホルダ４７を介して背もたれ部１１に取り付けられている。照明器具４６は、背もたれ部１１の上下方向の中間付近において背もたれ部１１の左辺側及び右辺側に設置されているが、照明器具４６の設置数及び設置位置はこれに限定されない。例えば、座部１２の下側を照明する照明器具をさらに設置してもよい。ＬＥＤ以外の発光体を設けてもよい。
【００３２】
座部１２の前部の中央には、座った子供を拘束するための子供用ウェビングのトングが挿入されるバックル６３が保持部材６４を介して設けられている。
【００３３】
ベース２０は、ボトム部２１と、該ボトム部２１から立ち上がるバック部２２とを有した略々Ｌ字形側面視形状のものである。このベース２０には、チャイルドシート本体１０をリクライニング可能に支持するガイドレール（図示略）が設けられている。
【００３４】
第２図の通り、ボトム部２１の底面からバック部２２の下部の背面にかけて凹部２３が設けられ、この凹部２３にボトムブロック２４が前後方向移動可能に係合している。凹部２３の左右の立下壁面には、前後方向に延在したガイド溝２５が設けられており、ボトムブロック２４の両側面から突出したガイドピン（図示略）が該ガイド溝２５に係合することにより、ボトムブロック２４が前後方向にスライド可能となっている。
【００３５】
ボトムブロック２４は、前後方向に沿う縦断面形状が台形である。第２図（ａ）のように、ボトムブロック２４を凹部２３内の最後部（チャイルドシートに座った子供から見て最後部）に位置させると、ボトムブロック２４はボトム部２１の後部底面から下方に出っ張り、チャイルドシート１が前向き設置に適したものとなる。なお、凹部２３には、このボトムブロック２４が最後部に位置したことを検知するためのリミットスイッチ２６が設けられている。
【００３６】
ボトムブロック２４を最前部に位置させると、第２図（ｂ）の通りボトムブロック２４はボトム部２１の前部底面から下方に出っ張り、チャイルドシート１が後向き設置に適したものとなる。凹部２３には、このボトムブロック２４が最前部に位置したことを検知するためのリミットスイッチ２７が設けられている。なお、この第２図（ｂ）の状態において、ボトムブロック２４は前部ほど厚みが大きなものとなっており、前部ほどボトム部２１からの出っ張り高さが大きくなっている。
【００３７】
第３図に示すように、バック部２２の前面の上部の左右両サイドには、ベルト挿通部３０が設けられている。このベルト挿通部３０は、下向きＬ字形のフック部３１と、該フック部３１の下端に係合したロック部３２とを有している。ロック部３２は、矢印θ方向に回動可能にヒンジ（図示略）によって止着されている。
【００３８】
ロック部３２を下向きに回動すると、シートベルトのショルダーウェビング５１を該ベルト挿通部３０内に出し入れすることができる。ベルト挿通部３０には、挿通されたシートベルトを検知するためのリミットスイッチ３３が設けられている。バック部２２の上部側面には、このベルト挿通部３０の直近位置にＬＥＤ３４が設けられている。このＬＥＤ３４は、赤色ＬＥＤと青色ＬＥＤとが対になったものであり、後述の制御回路からの指令に基づいて赤色及び青色のいずれかに点灯しうるように構成されている。詳しくは、この実施の形態では、チャイルドシート１を前向き設置するときには、ＬＥＤ３４は赤色に点灯し、チャイルドシート１を後向き設置するときには、ＬＥＤ３４は青色に点灯するように構成されている。
【００３９】
バック部２２の前面の左右両サイドの上下方向の途中に、上向き段状のベルト挿通部３７が設けられており、このベルト挿通部３７にシートベルト検知用のリミットスイッチ３８が設けられている。リミットスイッチ３８はバック部２２前面の左縁部及び右縁部にそれぞれ設置されている。また、バック部２２の左右両側面には、このベルト挿通部３７に近接してそれぞれ赤色ＬＥＤ３９が設けられている。
【００４０】
第４図はこのリミットスイッチ３８の設置構造を示している。このリミットスイッチ３８は、ベルト挿通部３７の裏側に取り付けられた本体部３８ａと、第４図（ａ）のように該本体部３８ａからベルト挿通部３７の前面に突出した作動片３８ｂとを有している。第４図（ｂ）のように、シートベルト５１に押されて作動片３８ｂが後退することにより、リミットスイッチ３８がＯＮとなる。図示は省略するが、その他のリミットスイッチも同様の構造のものである。
【００４１】
第１図の通り、ボトム部２１の前部の上面に、ベルト挿通部４０が設けられている。このベルト挿通部４０は、ボトム部２１の左サイドから右サイドにまで延在する溝よりなる。このベルト挿通部４０の左端と右端には、それぞれシートベルト検知用のリミットスイッチ４１が設けられている。また、チャイルドシート本体１０の側面には、このベルト挿通部４０の直近位置に青色ＬＥＤ４２が設けられている。
【００４２】
ベース２０のバック部２２の側面に、照明器具４６及び各ＬＥＤの点灯（この実施の形態では点滅）を開始させるためのスタートスイッチ４４が設けられている。図示は省略するが、ベース２０には、各ＬＥＤ及びリミットスイッチ並びにスタートスイッチ４４に対しリード線を介して接続された制御回路と、この制御回路に給電するための乾電池とが塔載されている。なお、この制御回路への給電方法（電源）は乾電池に限定されるものではない。乾電池の代わりにリチウム電池を用いてもよい。また、チャイルドシート１に乾電池やリチウム電池等の内臓電源を設ける代わりに、外部電源、例えば車両のシガーライターソケットを介して車両のバッテリーから制御回路に給電するようにしてもよい。
【００４３】
第５，６図の通り、自動車のシートベルト装置のシートベルト５０は、トング５３よりも一方の側がショルダーベルト５１であり、他方の側がラップベルト５２である。トング５３はバックル５４に装着（ラッチ）可能とされている。ショルダーベルト５１は、車両の座席のバックル５４と反対側の斜め上方に設置されたショルダーアンカ（図示略）に掛通されている。シートベルト５０は、オートロック機構付きのシートベルトリトラクタ（図示略）から引き出されている。オートロック機構とは、シートベルトの引き出し動作が停止すると、それ以降はトングがバックルから引き抜かれるまでは巻き取りのみが可能となり、引き出しは阻止される機構である。
【００４４】
このシートベルト５０を用いてチャイルドシート１を自動車の座席に固定する手順について次に説明する。
【００４５】
チャイルドシート１を前向き設置するときには、ボトムブロック２４を第２図（ａ）のように凹部２３の最後部に位置させる。このチャイルドシート１を座席に自動車前方に向けて載せる。そして、バック部２２を座席のシートバックに押し当てる。次いで、スタートスイッチ４４を押す。そうすると、照明器具４６が点灯してチャイルドシート本体１０とベース２０のバック部２２との間の背後側スペースが照明されると共に、赤色ＬＥＤ３９が点滅する。そこで、使用者は、トング５３をチャイルドシート本体１０とバック部２２との間のスペースに差し込み、シートベルト５０を該スペースに通し、トング５３をバックル５４に差し込んでラッチさせる。この際、照明器具４６が点灯しているので、シートベルト５０を該背後側スペースに通す作業を容易に行うことができる。
【００４６】
トング５３をバックル５４にラッチさせた後、ラップベルト５２をベルト挿通部３７に沿わせる。そうすると、ラップベルト５２がリミットスイッチ３８に当たり、ラップベルト５２がベルト挿通部３７に沿って引き回されたことが検知される。これにより、ＬＥＤ３９が消灯し、代わりに上部のＬＥＤ３４が点滅する。前述の通り、この前向き設置時には、ＬＥＤ３４は、ＬＥＤ３９と同色の赤色に点滅する。そこで、使用者は、ショルダーベルト５１をベルト挿通部３０に第３図及び第５図の如く掛け通す。そうすると、ショルダーベルト５１がリミットスイッチ３３に当たり、ＬＥＤ３４が消灯する。これにより、すべてのベルト引き回し案内用のＬＥＤが消灯状態となるので、チャイルドシート１がシートベルト５０で座席に取り付けられたことを知ることができる。なお、ＬＥＤ３４の消灯に合わせて照明器具４６を消灯させるようにしてもよい。このようにすれば、照明器具４６の消灯によっても、チャイルドシート１がシートベルト５０で座席に取り付けられたことを知ることができる。
【００４７】
次に、チャイルドシート１を後向きに設置する場合の手順について第６図を参照して説明する。
【００４８】
この場合は、ボトムブロック２４を第２図（ｂ）のように凹部２３内の最前部に位置させる。チャイルドシート１を自動車後方向きに、すなわちチャイルドシート１に子供が座ったとした場合に当該子供が自動車の後方を向く状態となるように、座席に載せる。
【００４９】
スタートスイッチ４４を押すと、照明器具４６が点灯すると共に、青色ＬＥＤ４２が点滅する。そこで、使用者は、トング５３及びラップベルト５２をチャイルドシート本体１０とボトム部２１との間に通し、トング５３をバックル５４に差し込んでラッチさせる。また、ラップベルト５２をベルト挿通部４０に沿わせる。そうすると、ラップベルト５２がリミットスイッチ４１に当たり、ＬＥＤ４２が消灯すると共に、ＬＥＤ３４が点滅する。なお、前述の通り、この後向き設置時には、ＬＥＤ３４は、ＬＥＤ４２と同色の青色に点滅する。そこで、使用者は、第６図のように、チャイルドシート本体１０の左右のベルト掛通部１５のうち車両のショルダーアンカ側に位置するベルト掛通部１５にショルダーベルト５１を掛け、チャイルドシート本体１０の背後に斜めにショルダーベルト５１を引き回し、その途中部を該ショルダーアンカ側のベルト挿通部３０に掛け通す。照明器具４６が点灯しているので、ショルダーベルト５１をチャイルドシート本体１０とバック部２２との間のスペースに引き回してベルト挿通部３０に容易に掛けることができる。このショルダーベルト５１がリミットスイッチ３３に当たることにより、ＬＥＤ３４が消灯する。これにより、全てのベルト引き回し案内用のＬＥＤが消灯状態となるので、チャイルドシート１がシートベルト５０で固定されたことを認識することができる。この実施の形態では、このＬＥＤ３４の消灯に合わせて照明器具４６を消灯させるようにしている。このため、照明器具４６の消灯によっても、チャイルドシート１がシートベルト５０で座席に取り付けられたことを知ることができる。
【００５０】
なお、この実施の形態では、第５，６図のようにシートベルト５０によってチャイルドシート１を座席に取り付けた後、チャイルドシート１が座席に押し付けられること等によってシートベルト５０に緩みが生じ、いずれかのリミットスイッチがシートベルトを検知しなくなると、そのリミットスイッチ近傍のＬＥＤ（又はすべてのＬＥＤ）が点滅するよう構成されている。これにより、シートベルト５０が緩んだことが使用者に報知される。
【００５１】
この実施の形態において、スタートスイッチ４４が押されてから最初にリミットスイッチがシートベルトを検知するまではＬＥＤ３９又は４２が点滅すると共に、照明器具４６が点灯するが、過度に長時間ＬＥＤ３９又は４２、照明器具４６を点灯させると、乾電池が早く消耗するので、スタートスイッチ４４を押してから約５分経過すると点灯を停止させるよう構成している。
【００５２】
上記実施の形態では、ボトムブロック２４を前後にスライドさせることにより、前向き設置及び後向き設置の切り替えを行っているが、前記特開２００３-２５２０９４号公報のように、ボトムブロックを前後に回動させて前向き設置と後向き設置の切り替えを行うようにしてもよい。なお、同号公報のチャイルドシートは、「自動車の座席に設置されるチャイルドシートにおいて、チャイルドシート本体と、該チャイルドシート本体の底部に回動自在に取り付けられたチャイルドシートの設置角度調整用のボトムブロックとを備えてなり、該ボトムブロックは、該チャイルドシート本体の底面の前半側に重なった第１の状態と該底部の後半側に重なった第２の状態とをとりうるように一端側がチャイルドシート本体に回動自在に取り付けられており、該ボトムブロックは、一端側よりも他端側の厚みが大となっていることを特徴とするチャイルドシート。」である。
【００５３】
また、本発明では、チャイルドシート本体１０を深くリクライニングさせたことをリミットスイッチ等によって検知して後向き設置状態とし、チャイルドシート本体１０を起立させたことを検知して前向き設置状態としてもよい。
【００５４】
上記の実施の形態では、ＬＥＤを点滅させているが、連続的な点灯であってもよい。
【００５５】
上記実施の形態では、左右のＬＥＤを一緒に点灯させているが、自動車の左側座席に設置する場合と右側座席に設置する場合とをスイッチによって切り替え、左右の一方のＬＥＤのみを点灯させるようにしてもよい。
【００５６】
上記の実施の形態では、スタートスイッチ４４が押されると、まず、照明器具４６が点灯すると共に、最初にシートベルトが通されるベルト挿通部３７又は４０のＬＥＤ３９又は４２が点灯し、その後、このベルト挿通部３７又は４０にシートベルトが挿通されたことが検知されると、ＬＥＤ４２又は３９が消灯し、代わりに、次にシートベルトが挿通されるベルト挿通部３０のＬＥＤ３４が点灯するように構成されているが、まず、前向き設置時又は後向き設置時にそれぞれシートベルトが通される全てのベルト挿通部のＬＥＤが点灯し、シートベルトがベルト挿通部に挿通される度に、このシートベルトが挿通されたベルト挿通部のＬＥＤが消灯するように構成してもよい。
【００５７】
本発明では、子供用ウェビングのトングを子供用バックルに差し込む場合に、子供用バックルのトング差込口をＬＥＤ等の発光体によって指し示すようにしてもよい。
【００５８】
第７図〜第９図はその一例を示すものであり、第７図はバックル６３及びトング６２の正面図、第８図はバックル６３の斜視図、第９図は子供着座検知装置の断面図である。
【００５９】
第７図の通り、子供用の肩ウェビング６１にトング６２が取り付けられている。バックル６３は、このトング６２が差し込まれるものであり、第１図（ａ）の通り、支持部材６４によってチャイルドシート本体１０の座部１２の前部に取り付けられている。
【００６０】
第８図の通り、バックル６３の上端面の後部側にトング６２の差込口６３ｂが設けられ、この差込口６３ｂにトング６２を差し込むと、バックル６３内のラッチ機構（図示略）によってトング６２がラッチされる。なお、バックル６３内には、このトング６２のラッチを検知するラッチセンサ（図示略）が設けられている。バックル６３の上端面の前部側に配置されたプレスボタン６３ａを押すと、このラッチが解除され、ラッチ機構のリターンスプリングの作用によりトング６２が上方向に押されて差込口６３ｂから離脱する。
【００６１】
この差込口６３ｂの上部内面のうち後面側に、該差込口６３ｂ内を照らすように発光体としてＬＥＤ６５が設けられている。このＬＥＤ６５は、子供が座部１２に着座すると点灯（連続点灯であってもよく、点滅であってもよい。）し、トング６２がバックル６３に装着されるか、又は着座後所定時間が経過すると消灯するよう構成されている。この子供の着座を検知するために、チャイルドシート本体１０の座部１２に着座検知装置７０が設置されている。第９図の通り、この着座検知装置７０は、座部１２のうち子供の尻が載る部分に設けられた凹部１２ａと、該凹部１２ａに被さるプレート７１と、該プレート７１の下面に設けられたストッパ７２、リターンスプリング７３及びリミットスイッチ７４とを備えている。
【００６２】
プレート７１は、その後縁から下方に突設されたＬ字形の脚部７１ａを備えている。この脚部７１ａは、凹部１２ａの底面後縁に設けられた開口１２ｂに挿入され、掛止されている。プレート７１は、この開口１２ｂを回動中心として、上下方向に回動可能となっている。プレート７１は、凹部１２ａに内嵌する大きさを有している。リターンスプリング７３は、凹部１２ａの底面とプレート７１との間に介在されたコイルバネよりなり、プレート７１を押し上げ方向に付勢している。ストッパ７２は、プレート７１が凹部１２ａ周囲の座部１２と面一状となったときに凹部１２ａの底面に当接する高さの突起よりなる。
【００６３】
リミットスイッチ７４は、プレート７１が座部１２と面一状となったときに、凹部１２ａの底面に当接してＯＮとなり、プレート７１がリターンスプリング７３によって押し上げられるとＯＦＦとなるように設けられている。
【００６４】
底部１２に子供を着座させると、プレート７１が押し下げられてリミットスイッチ７４がＯＮとなる。この状態から子供を離座させると、プレート７１が押し上げられてリミットスイッチ７４がＯＦＦとなる。
【００６５】
チャイルドシート本体１０には、着座検知装置７０のリミットスイッチ７４及びバックル６３のラッチセンサから信号が入力され、この入力信号に基づいてＬＥＤ６５の点灯、消灯を行う制御装置と、この制御装置に給電する乾電池とが搭載されている。着座検知装置７０が子供の着座を検知すると、所定時間（例えば６０秒〜５分）ＬＥＤ６５が点滅する。トング６２をバックル６３に差し込むと、ラッチセンサによってこの差込が検知され、ＬＥＤ６５が消灯する。このように、子供がチャイルドシート１０に座ると、バックル６３の差込口のＬＥＤ６５が点滅するので、トング６２を差し込むべき差込口６３ｂを容易に認識することができると共に、トング６２を差込口６３ｂに差し込もうとする動機付けがなされる。また、トング６２をバックル６３にラッチさせるとＬＥＤ６５が消灯するので、トング６２をバックル６３に差し込んだことを認識することができる。
【００６６】
本発明では、前向き設置又は後向き設置状態でシートベルトが正しく引き回され、規定のリミットスイッチがいずれもシートベルトを検知するときには、シートベルトが正しく引き回されたことを意味するランプ（ＯＫランプ）を所定時間点灯（点滅であってもよい。）させるようにしてもよい。このＯＫランプは、例えば緑色ＬＥＤにより構成される。
【００６７】
また、スタートスイッチ４４を押すと、シートベルト引き回し未完了を示すランプ（未完了ランプ）が点灯（点滅であってもよい。）し、シートベルトが正しく引き回されたならばこの未完了ランプが消灯するようにしてもよい。未完了ランプの消灯と同時にＯＫランプが所定時間点灯するようにしてもよい。未完了ランプとしては例えば黄色ＬＥＤが用いられる。
【００６８】
以下、第１０，１１図を参照して別の実施の形態に係るチャイルドシート８０について説明する。このチャイルドシート８０は、シートベルト５０を巻取軸９４で巻き取り、該シートベルト５０に張力を加えることにより自動車の座席に固定されるよう構成されたものである。第１０図はこのチャイルドシートの後方からの斜視図、第１１図はこのチャイルドシートの巻取軸のショルダーベルト用スリットに三点式シートベルト５０のショルダーベルト５１を差し込んだ状況を示す斜視図である。
【００６９】
このチャイルドシート８０は、子供乗員が座る座部８２及び背もたれ部８４と、該背もたれ部８４の背面の左右両側縁から後方に突設されたリブ８６，８８と、該リブ８６，８８にそれぞれ設けられたシートベルト挿通口９０，９２と、シートベルト巻取用の巻取軸９４とを備えている。
【００７０】
該巻取軸９４は、背もたれ部８４の中央付近を背もたれ部８４に沿って上下方向に延在している。この巻取軸９４には、シートベルト５０を係合させるためのスリット９４ａが設けられている。
【００７１】
このスリット９４ａは、巻取軸９４をその直径方向に貫通するものであり、該巻取軸９４の軸心方向（上下方向）に延在している。スリット９４ａの下端に切込状のベルト出入口９４ｂが設けられている。
【００７２】
リブ８６，８８は、それぞれ背もたれ部８４の背面に沿って上下方向に延在しており、各シートベルト挿通口９０，９２も、該背もたれ部８４に沿って上下方向に延在している。
【００７３】
巻取軸９４の上端側は、背もたれ部８４の背面に取り付けられたブラケット９６にその軸心回りに回転可能に保持されている。また、巻取軸９４の下端側は、該背もたれ部８４の下部に設けられたメカボックス９８内に挿入されている。巻取軸９４は、このメカボックス９８内に配置されたウォームホイール機構及びシャフト１００を介してハンドル１０２によって回転されるように構成されている。
【００７４】
スリット９４ａ付近に光を照射するように照明器具１０４が設けられている。この実施の形態では、照明器具１０４はＬＥＤを備えており、背もたれ部８４の背面のうち、スリット９４ａの左右両側部位にそれぞれ設けられている。この部位に照明器具１０４を設けた場合、スリット９４ａ付近を左右両側から十分に照明することができる。また、シートベルト５０を背もたれ部８４の背後に通そうとするときに、照明光が作業者の目に直接に入ることがなく、作業者が眩しく感じることがない。
【００７５】
この照明器具１０４の点灯用のスイッチ１０６がリブ８６，８８の外向きの側面にそれぞれ設けられている。スイッチ１０６を押すと、照明器具１０４が所定時間（例えば５〜１０分）点灯し、その後、自動的に消灯する。照明器具１０４が点灯している状態でスイッチ１０６をもう１回押すと、照明器具１０４が消灯する。この照明器具１０４の点灯、消灯を制御する回路及び電池はメカボックス９８又はリブ８６，８８内など適宜の箇所に設置される。
【００７６】
以下に、このチャイルドシート８０の座席への設置手順について説明する。
【００７７】
チャイルドシート８０を自動車の座席に載置し、スイッチ１０６を押して照明器具１０４を点灯させる。そして、シートベルト５０のラップベルト５２及びショルダーベルト５１を一方のシートベルト挿通口９０又は９２から他方のシートベルト挿通口９２又は９０に引き通し、トング（図示略）をバックル（図示略）にラッチする。その後、第１１図の如くショルダーベルト５１の途中部分を巻取軸９４のベルト出入口９４ｂからスリット９４ａに差し込む。
【００７８】
その後、ハンドル１０２を回転操作して巻取軸９４を回転させ、シートベルト５０の全体にわたって十分な張力が加えられるまで該巻取軸９４にショルダーベルト５１を巻き取る。これにより、チャイルドシート８０が自動車の座席にしっかりと固定される。
【００７９】
この一連の作業は、通常は５分程度で終了するので、チャイルドシート取付作業の間中、照明器具１０４が点灯していることになる。そのため、ショルダーベルト５１のスリット９４ａへの係合作業など、背もたれ部８４の背後側での作業を効率よく行うことができる。その後、照明器具１０４は自動的に消灯するので、電池が無駄に消耗することがない。
【００８０】
なお、照明器具１０４やスイッチ１０６の設置位置や個数は第１０，１１図のものに限定されない。
【００８１】
本発明では、巻取軸９４特にそのスリット９４ａ付近に蛍光塗料を塗布し、シートベルトを通す部位を明示するようにしてもよい。背もたれ部８４の背面を明色系の色調とし、照明器具１０４による照明効果を高めるようにしてもよい。
【００８２】
上記実施の形態は本発明の一例であり、本発明は図示以外の形態もとりうる。
【符号の説明】
【００８３】
１  チャイルドシート
１０  チャイルドシート本体
１２  座部
１２ａ  凹部
１５  ベルト掛通部
２０  ベース
２４  ボトムブロック
２６，２７  ボトムブロック検知用リミットスイッチ
３０，３７，４０  ベルト挿通部
３３，３８，４１  リミットスイッチ
３４，３９，４２  ＬＥＤ
４６  照明器具
４７  照明ホルダ
５０  シートベルト
５１  ショルダーベルト
５２  ラップベルト
６３  バックル
６３ａ  プレスボタン
６３ｂ  差込口
６５  ＬＥＤ
７０  着座検知装置
７１  プレート
７２  ストッパ
７４  リミットスイッチ
８０  チャイルドシート
８４  背もたれ部
８６，８８  リブ
９０，９２  シートベルト挿通口
９４  巻取軸
９４ａ  スリット
９８  メカボックス
１０４  照明器具
１０６  スイッチ
【図１】
2010269702.tif 000003
【図２】
2010269702.tif 000004
【図３】
2010269702.tif 000005
【図４】
2010269702.tif 000006
【図５】
2010269702.tif 000007
【図６】
2010269702.tif 000008
【図７】
2010269702.tif 000009
【図８】
2010269702.tif 000010
【図９】
2010269702.tif 000011
【図１０】
2010269702.tif 000012
【図１１】
2010269702.tif 000013